(57)【要約】  【課題】  構造物の柱材と横架材とで囲まれた開口部に取り付けられ、開口部を補強するとともに、地震時や強風時等の振動エネルギーを吸収することのできる構成簡素で安価な制振補強壁パネルを提供すること。  【解決手段】  並列した複数の木質部材２と、これら木質部材２同士を互いに相対変位可能に圧接状態に保持する保持手段とから制振補強壁パネル１０を構成した。地震時等には、構造物の柱材１１及び横架材１２、１３と共にパネル１０が平行四辺形状に変形し、複数の木質部材２が互いに相対変位する。この相対変位時の木質部材２同士の摩擦抵抗によって地震時等の振動エネルギーを吸収する。  【選択図】  図３
0003111286.tif 000002
【実用新案登録請求の範囲】
【請求項１】
構造物の左右の柱材と上下の横架材とで囲まれた開口部の一部または全部に取り付けられる制振補強壁パネルであって、
並列した複数の木質部材と、該木質部材同士を互いに相対変位可能に圧接状態に保持する保持手段と、から構成されていることを特徴とした制振補強壁パネル。
【請求項２】
前記木質部材が木材組織に沿って長い角棒木材から成り、該角棒木材を縦にして横方向に並列させた請求項１記載の制振補強壁パネル。
【請求項３】
前記木質部材が木材組織に沿って長い角棒木材から成り、該角棒木材を横にして縦方向に並列させた請求項１記載の制振補強壁パネル。
【請求項４】
前記木質部材が集成材から成る請求項１記載の制振補強壁パネル。
【請求項５】
前記木質部材が、該木質部材の長さ方向に並ぶ複数の木質素片から成る請求項２乃至請求項４のいずれかに記載の制振補強壁パネル。
【請求項６】
並列して互いに隣り合う一方の前記木質部材の側面に凸部または凹部を設け、他方の木質部材の側面に該凸部または凹部に嵌合可能な相方凹部または相方凸部を設けた請求項１乃至請求項５のいずれかに記載の制振補強壁パネル。
【請求項７】
並列して互いに隣り合う前記木質部材同士の間に弾性材を介在させた請求項１乃至請求項６のいずれかに記載の制振補強壁パネル。
【請求項８】
並列した複数の前記木質部材のうちの両端の木質部材の外側面に、前記柱材に形成された取付凹部に嵌合可能な取付凸部を設けた請求項１乃至請求項７のいずれかに記載の制振補強パネル。
【請求項９】
前記保持手段が、
前記各木質部材に開設された通孔と、
前記各木質部材の通孔に挿通されたボルトと、
前記ボルトに螺合されたナットと、
から構成されている請求項１乃至請求項８のいずれかに記載の制振補強壁パネル。
【請求項１０】
並列した複数の前記木質部材のうちの両端の木質部材に開設された前記通孔に座ぐり部を形成し、該座ぐり部に前記ボルトの頭部または前記ナットを収容した請求項９記載の制振補強壁パネル。
【考案の詳細な説明】
【技術分野】
【０００１】
本考案は、構造物の柱材と横架材とで囲まれた開口部に取り付けられ、その開口部を補強するとともに地震時や強風時等の振動エネルギーを吸収する制振補強壁パネルに関するものである。
【背景技術】
【０００２】
従来、一般の木造構造物の開口部に取り付けられる制振装置として、地震時の振動エネルギーを油圧ダンパで吸収するものが知られている（例えば、特許文献１参照）。しかしながら、この制振装置は油圧ダンパを利用していることから、装置構成が複雑化し、製造コストの上昇を招く難点があった。また、構造物の取り付け作業に手間がかかる難点があった。
【特許文献１】特開２００２−３５７０１５号公報
【考案の開示】
【考案が解決しようとする課題】
【０００３】
本考案は、従来の制振装置に上記のような難点があったことに鑑みて為されたもので、構成が極めて簡素で安価であり、新築の構造物に対しては勿論、既存の構造物に対しても簡単に取り付けることができる制振補強壁パネルを提供することを目的とする。
【課題を解決するための手段】
【０００４】
本考案は、構造物の左右の柱材と上下の横架材とで囲まれた開口部の一部または全部に取り付けられる制振補強壁パネルであって、
並列した複数の木質部材と、該木質部材同士を互いに相対変位可能に圧接状態に保持する保持手段と、から構成されていることを特徴とする。
【０００５】
また、本考案は、前記木質部材が木材組織に沿って長い角棒木材から成り、該角棒木材を縦にして横方向に並列させたことを特徴とする。
【０００６】
更にまた、本考案は、前記木質部材が木材組織に沿って長い角棒木材から成り、該角棒木材を横にして縦方向に並列させたことを特徴とする。
【０００７】
更にまた、本考案は、前記木質部材が集成材から成ることを特徴とする。
【０００８】
更にまた、本考案は、前記木質部材が、該木質部材の長さ方向に並ぶ複数の木質素片から成ることを特徴とする。
【０００９】
更にまた、本考案は、並列して互いに隣り合う一方の前記木質部材の側面に凸部または凹部を設け、他方の木質部材の側面に該凸部または凹部に嵌合可能な相方凹部または相方凸部を設けたことを特徴とする。
【００１０】
更にまた、本考案は、並列して互いに隣り合う前記木質部材同士の間に弾性材を介在させたことを特徴とする。
【００１１】
更にまた、本考案は、並列した複数の前記木質部材のうちの両端の木質部材の外側面に、前記柱材に形成された取付凹部に嵌合可能な取付凸部を設けたことを特徴とする。
【００１２】
更にまた、本考案は、前記保持手段が、前記各木質部材に開設された通孔と、前記各木質部材の通孔に挿通されたボルトと、前記ボルトに螺合されたナットと、から構成されていることを特徴とする。
【００１３】
更にまた、本考案は、並列した複数の前記木質部材のうちの両端の木質部材に開設された前記通孔に座ぐり部を形成し、該座ぐり部に前記ボルトの頭部または前記ナットを収容したことを特徴とする。
【考案の効果】
【００１４】
本考案に係る制振補強壁パネルは、並列させた複数の木質部材を保持手段により互いに相対変位可能に圧接保持するだけで簡単に構成することができる。したがって、油圧ダンパを利用した従来品のように、装置構成の複雑化および製造コストの上昇を招くこともなく、構成簡素で安価な制振補強壁パネルを提供することができる。
【００１５】
また、本考案に係る制振補強壁パネルは、補強すべき構造物の開口部にそのまま嵌め込んで開口部の柱材等に固定するだけで簡単に取り付けることができるので、従来品のように取り付け作業に手間取ることもない。
【００１６】
また、本考案に係る制振補強壁パネルによれば、開口部に取り付けた状態で、複数の木質部材によって構造物の荷重を支えることができ、開口部を補強することができる。しかも、これら複数の木質部材が保持手段により圧接状態で一体的に保持されているので、荷重耐力に優れている。
【００１７】
そして、地震時等の横揺れによって制振補強壁パネルは、柱材及び横架材に伴なって平行四辺形状に変形し、並列した複数の木質部材は互いに相対的に変位する。したがって、この相対変位時の木質部材同士の摩擦抵抗により地震時等の振動エネルギーを吸収することができ、優れた制振効果を発揮する。また、保持手段によって木質部材同士が圧接状態で保持されているので、木質部材同士の摩擦抵抗を高めることができ、より効果的に振動エネルギーを吸収することができる。
【００１８】
更にまた、本考案に係る制振補強壁パネルによれば、柱材及び横架材と共に平行四辺形状に変形したときのパネルの幅が平常時よりも小さくなることから、パネルが平行四辺形状に変形することによっても木質部材同士が圧接されることになる。したがって、地震時等の揺れが大きいときほど、木質部材同士の摩擦抵抗が大きくなり、制振効果が有効に発揮される。
【考案を実施するための最良の形態】
【００１９】
以下、本実施形態の制振補強壁パネル１０について、図１〜図５を参照しながら詳しく説明する。
【００２０】
本実施形態の制振補強壁パネル１０は、図１及び図２に示すように、一定の厚みを有する正面視矩形の板状体として構成されている。そして、図３に示すように、木造構造物１の左右の柱材１１・１１と、上部横架材である鴨居１２と、下部横架材である敷居１３とで囲まれた開口部１４に取り付けられる。図３では、計３つの制振補強壁パネル１０が開口部１４に取り付けられ、開口部１４の全部を完全に塞いだ例を図示しているが、制振補強壁パネル１０のサイズは、補強すべき開口部に合わせて適宜に変更可能である。例えば、開口部１４の開口幅に相当するパネル幅を有する制振補強壁パネルを用意し、一つの制振補強壁パネルで開口部１４の全部を塞ぐようにしても良い。
【００２１】
本実施形態の制振補強壁パネル１０は、図１及び図２に示すように、並列した複数の木質部材２と、これら複数の木質部材２同士を互いに相対変位可能に圧接状態に保持する保持手段３とから構成されている。
【００２２】
木質部材２は、木材組織に沿って長い角棒木材から成り、本実施形態では間伐材から得ている。そして、取り付けるべき開口部１４の開口高さとほぼ同じ長さの角棒木材を縦にして計６本、横方向に並列させている。
【００２３】
保持手段３は、図１及び図２に示すように、各木質部材２に開設された通孔３１と、通孔３１内に遊嵌状態に挿通されたボルト３２と、ボルト３２の先端側に刻設された雄ネジに螺合可能な雌ネジを備えたナット３３とから構成されている。並列した計６本の木質部材２の通孔３１にボルト３２を連続的に挿通し、このボルト３２にナット３３を螺合し、締め付けることによって、木質部材２同士が相対変位可能に圧接保持されている。
【００２４】
本実施形態では、並列した計６本の木質部材２のうちの両端の木質部材２の通孔３１に座ぐり部３４が形成されており、これら座ぐり部３４内にボルト３２の頭部及びナット３３を収容している。このことで、保持手段３が木質部材２の側面において外側へ突出することもなく、制振補強壁パネル１０を開口部１４にほぼ隙間無く嵌め込むことができる。本実施形態では、図１に示すように、木質部材２の長さ方向の上部、中央部、及び下部の計三箇所に保持手段３を設けている。
【００２５】
制振補強壁パネル１０の開口部１４への取り付けは、開口部１４内に制振補強壁パネル１０を嵌め込み、そして、パネル１０と柱材１１若しくは横架材１２、１３、又はパネル１０同士を公知の接合金物を介して連結固定することにより行う。勿論、接合金物を使用せず、直接、パネル１０を柱材１１等にビス止め、釘止めしても良い。制振補強壁パネル１０は、木質部材２から構成されているので、何ら特別な固定手段を用いる必要がなく、取り付け作業を容易に行うことができる。なお、制振補強壁パネル１０を開口部１４に取り付けた後、パネルの表面に例えば壁紙等の化粧部材を貼設してその見栄えを向上できることは勿論である。取り付け前に予めパネル表面に化粧部材を貼設しておくことも可能である。
【００２６】
このように本実施形態の制振補強壁パネル１０は、並列させた複数の木質部材２を保持手段３により互いに相対変位可能に圧接保持するだけで構成することができる。したがって、油圧ダンパを利用した従来品のように、装置構成が複雑化して製造コストの上昇を招くようなこともなく、構成簡素で安価な制振補強壁パネルを提供することができる。
【００２７】
また、本実施形態の制振補強壁パネル１０は、補強すべき構造物１の開口部１４にそのまま嵌め込んで、パネル１０を開口部１４の柱材１１や横架材１２、１３に固定するだけで簡単に取り付けることができ、従来品のように取付け作業に手間取ることもない。
【００２８】
また、開口部１４に取り付けられた制振補強壁パネル１０は、複数の木質部材２によって構造物１の荷重を支えて開口部１４を補強することができる。本実施形態では、組織方向の圧縮強度に優れる角棒木材を縦にして横方向に並列させており、しかも、これら複数の角棒木材をボルト及びナットから成る保持手段３によって圧接状態で一体的に束ねているので荷重耐力に頗る優れている。
【００２９】
また、図４に示すように、地震時等の横揺れによって制振補強壁パネル１０は、柱材１１及び横架材１２、１３に伴なって平行四辺形状に変形し、図５に示すように、並列した複数の木質部材２は互いに相対的に変位する。したがって、この相対変位時の木質部材２同士の摩擦抵抗により地震時等の振動エネルギーを吸収することができ、制振効果を発揮する。また、保持手段３によって木質部材２同士が圧接状態に保持されているので、木質部材２同士の摩擦抵抗を高めることができ、より効果的に振動エネルギーを吸収することができる。
【００３０】
しかも、図５に示すように、柱材及び横架材と共に平行四辺形状に変形したときのパネル幅Ｓは、平常時におけるパネル幅Ｔ（一点鎖線参照）よりも小さくなることから、パネル１０が平行四辺形状に変形することによっても複数の木質部材２同士が圧接されることになる。したがって、地震時等の揺れが大きいときほど、木質部材２同士の圧接の程度が大きくなり、木質部材２同士の摩擦抵抗が大きくなって制振効果が有効に発揮される。
【００３１】
また、本実施形態の制振補強壁パネル１０は、保持手段３によって複数の木質部材２が保持されているので、振動時に中間の木質部材２が脱落してしまう惧れもない。構成簡素でありながらも確実に制振効果を発揮する制振補強壁パネルを提供することができる。
【００３２】
以上、本考案に係る制振補強壁パネルについて、代表的な実施形態を説明したが、本考案に係る制振補強壁パネルは、その他の形態でも実施することができる。
【００３３】
例えば、上記実施形態では、角棒木材から成る木質部材２を、その側面同士を単に接触させて並列させているが、例えば、図６に示す制振補強壁パネル２０のように、並列して互いに隣り合う一方の木質部材４の対向側面にその長手方向に沿った凸部４１を形成するとともに、他方の木質部材４の対向側面にその長手方向に沿った相方凹部４２を形成し、これら凸部４１と相方凹部４２とを嵌合させて複数の木質部材４同士を並列させても良い。このことで木質部材４同士の接触面積を大きくすることができ、また、パネル２０の捩れ強度を高めることができる。なお、一方の木質部材４の対向側面に凹部を形成し、他方の木質部材４の対向側面に相方凸部を形成して両者を嵌合させても勿論良い。
【００３４】
また、並列した複数の木質部材のうちの両端の木質部材の外側面に、前記柱材の内側面に設けた取付凹部に嵌合可能な取付凸部を設け、これら取付凸部と取付凹部とを嵌合させてパネルを開口部に取り付けても良い。このことで、より確実にパネルを開口部に固定でき、取付部の捩れ強度を高めることができる。
【００３５】
更にまた、並列して互いに隣り合う木質部材同士の間に弾性材を介在させても良い。このことで、弾性材と木質部材との摩擦抵抗を利用して振動エネルギーを吸収できるとともに、弾性材自体の弾性を利用して地震時の振動を緩衝させることができる。弾性材として、固化時に所定の弾性を有する接着剤を木質部材の間に介在させるようにしても良い。
【００３６】
更にまた、上記実施形態では、開口部１４の開口高さとほぼ同じ長さを有する角棒木材から成る木質部材２を採用しているが、本考案は決してこれに限定されるものではなく、例えば、図７に示す制振補強壁パネル３０のように、各木質部材５を、長さ方向に並ぶ複数の木質素片５１・５２から構成しても良い。これら木質素片５１・５２は、縦に並べることによって開口部１４の開口高さとほぼ同じ長さになる。ここでは、長さの異なる２種類の木質素片５１・５２を使用した例を図示している。このことで、木質部材の入手が更に容易になり、制振補強壁パネルの製造コストの低減を図ることができる。
【００３７】
更にまた、図８に示す制振補強壁パネル４０のように、角棒木材から成る木質部材６を横にして縦方向に並列させても良い。そして、二つの制振補強壁パネル４０を上下に並べた状態で開口部に取り付けるようにしても良い。上下のパネル同士は、公知の接合金物を介して連結固定しても良いが、各パネルが開口部の柱材等に固定されておれば、必ずしも上下のパネル同士が連結されていなくても良い。この制振補強壁パネル４０にあっても、地震時等には木質部材６同士が相対変位してその摩擦抵抗を利用して振動エネルギーを吸収することができる。
【００３８】
更にまた、上記実施形態では、複数の木質部材２を圧接保持する保持手段３を、ボルトとナットとから構成しているが、本考案は決してこれに限定されるものではなく、例えば、並列した複数の木質部材の外周に、鋼材製の環状部材（箍部材）を嵌めたり、或いはゴム材製の帯状部材を巻きつけることによって複数の木質部材同士を圧接状態に保持しても良い。また、上記実施形態では、木質部材２として、間伐材から得た木材を使用しているが、複数の木材を接着して成る集成材を使用しても良い。集成材を使用すれば、間伐材を使用せずとも安価な制振補強壁パネルを市場に提供し得る。また、木質部材の数、断面形状等についても上記実施形態に限定されるものではなく種々の設計変更が可能であり、例えば、板状の木質部材を並列させてパネルを構成しても良い。
【００３９】
更にまた、上記実施形態では、図３に示したように制振補強壁パネル１０によって開口部１４の全部を完全に塞ぐ例を説明しているが、本考案は勿論これに限定されるものではなく、補強すべき開口部の一部を制振補強壁パネルで塞ぐように取り付けても良い。例えば、制振補強壁パネル１０の三辺を構造物の上下の横架材及び片側の柱材に固定することにより制振補強壁パネルを開口部の脇部に部分的に取り付けても良く、また、制振補強壁パネルの上下二辺を構造物の上下の横架材にのみ固定することにより制振補強壁パネルを開口部の中程に部分的に取り付けても良い。また、制振補強壁パネルを開口部に取り付けるとき、パネルと柱材や横架材との間にスペーサまたは楔材を介在させても良い。
【００４０】
本考案はその趣旨を逸脱しない範囲内で、当業者の知識に基づいて種々の改良、修正、変形を加えた態様で実施し得るものである。また、同一の作用又は効果が生じる範囲内でいずれかの考案特定事項を他の技術に置換した形態で実施しても良く、また、一体に構成されている考案特定事項を複数の部材から構成したり、複数の部材から構成されている考案特定事項を一体に構成した形態で実施しても良い。
【図面の簡単な説明】
【００４１】
【図１】本実施形態の制振補強壁パネルの全体斜視図である。
【図２】本実施形態の制振補強壁パネルの部分縦断面図である。
【図３】本実施形態の制振補強壁パネルの取付例を示す図であり、同図（ａ）は正面図、同図（ｂ）は平面図である。
【図４】本実施形態の制振補強壁パネルの制振機能を説明する全体正面図である。
【図５】本実施形態の制振補強壁パネルの制振機能を説明する要部正面図である。
【図６】本考案の実施変形例の制振補強壁パネルの横断面図である。
【図７】本考案の他の実施変形例の制振補強壁パネルの正面図である。
【図８】本考案の更に他の実施変形例の制振補強壁パネルの正面図である。
【符号の説明】
【００４２】
１  構造物
１１  柱材
１２  鴨居（上部横架材）
１３  敷居（下部横架材）
１４  開口部
１０、２０、３０、４０  制振補強壁パネル
２、４、５、６  木質部材
５１、５２  木質素片
３  保持手段
３１  通孔
３２  ボルト
３３  ナット
【図１】
0003111286.tif 000003
【図２】
0003111286.tif 000004
【図３】
0003111286.tif 000005
【図４】
0003111286.tif 000006
【図５】
0003111286.tif 000007
【図６】
0003111286.tif 000008
【図７】
0003111286.tif 000009
【図８】
0003111286.tif 000010